(57)【要約】      （修正有）【課題】複数のモニタに接続されたＳＴＢに記憶された映像コンテンツをスマートフォンなどで操作可能な映像送信システムにおける操作性を向上させる制御装置、送信装置、及び送信方法を提供する。【解決手段】映像データ制御装置（スマートフォン１０）は、表示装置（ベッドルームＴＶ４０Ａ）に対して特定情報を無線発信する状態にするよう指示する特定情報発信指示を送信可能に構成された特定情報発信指示送信部（近距離無線通信部、Ｗｉ−Ｆｉ通信部）と、特定情報の電波強度に基づいて最も近くの表示装置を特定可能に構成された表示装置特定部（制御部）と、映像データを無線で送信可能に構成された映像データ送信装置（サーバ３０）に対して、前記最も近くの表示装置に映像データを送信するよう指示する映像データ送信指示を送信可能に構成された映像データ送信指示送信部（Ｗｉ−Ｆｉ通信部）と、を備える。【選択図】図５
2016025599.tif 000002
【特許請求の範囲】
【請求項１】
受信した映像データを表示可能に構成された表示装置に対して、該表示装置を特定するための特定情報を無線発信する状態にするよう指示する特定情報発信指示を無線で送信可能に構成された特定情報発信指示送信部と、
前記表示装置が発信する前記特定情報の電波強度に基づいて最も近くの前記表示装置を特定可能に構成された表示装置特定部と、
映像データを無線で送信可能に構成された映像データ送信装置に対して、前記最も近くの表示装置に映像データを送信するよう指示する映像データ送信指示を無線で送信可能に構成された映像データ送信指示送信部と、を備える
ことを特徴とする映像データ制御装置。
【請求項２】
前記特定情報発信指示送信部は、前記映像データ送信装置を介して、前記表示装置に対して、前記特定情報発信指示を送信可能に構成された
ことを特徴とする請求項１に記載の映像データ制御装置。
【請求項３】
受信した映像データを表示可能に構成された表示装置に対して、該表示装置を特定するための特定情報を無線発信する状態にするよう指示する特定情報発信指示を無線で送信可能に構成された特定情報発信指示送信部と、
前記表示装置が発信する前記特定情報の電波強度に基づいて最も近くの前記表示装置を特定可能に構成された表示装置特定装置から、該最も近くの表示装置を特定する情報を受信可能に構成された表示装置特定情報受信部と、
前記最も近くの表示装置に映像データを送信可能に構成された映像データ送信部と、を備える
ことを特徴とする映像データ送信装置。
【請求項４】
受信した映像データを表示可能に構成された表示装置に対して、該表示装置を特定するための特定情報を無線発信する状態にするよう指示する特定情報発信指示を無線で送信する第１ステップと、
前記特定情報発信指示に基づいて、前記特定情報を無線発信する第２ステップと、
前記特定情報の電波強度に基づいて最も近くの前記表示装置を特定する第３ステップと、
前記最も近くの表示装置に映像データを送信する第４ステップと、を含む
ことを特徴とする映像データ送信方法。
【発明の詳細な説明】
【技術分野】
【０００１】
本発明の一態様は、表示装置に表示させるための映像データを送信するよう制御可能に構成された映像データ制御装置などに関する。
【背景技術】
【０００２】
ユーザが映画などの映像を視聴するためのシステムとして、複数の表示装置と、これらの複数の表示装置のいずれかに映像データを送信するＳＴＢ（セット・トップ・ボックス）とを含む映像送信システムがある。このような映像送信システムでは、リモコン、またはリモコンと同様の機能を実現可能なスマートフォンなどを用いて、ＳＴＢからいずれかの表示装置に送信する映像データを制御していた。特許文献１には、このようなシステムにおいて、端末から得られる位置情報をサーバ装置に送信し、この位置情報に基づいてサーバ装置がコンテンツを通知すべきスクリーンを決定する技術が開示されている。特許文献２には、ＳＴＢで受信した映像を、使用権を持つＴＶに送信するシステムについて開示されている。特許文献２には、端末装置の位置情報を取得し、取得された位置情報に基づいてコンテンツを送信すべき再生装置を特定する技術が開示されている。
【先行技術文献】
【特許文献】
【０００３】
【特許文献１】特開２０１２−６８７０９号公報
【特許文献２】特開２０１１−９８３８号公報
【特許文献３】特表２００８−２８８８９３号公報
【発明の概要】
【発明が解決しようとする課題】
【０００４】
しかしながら、従来の技術では、映像データを送信すべき表示装置の特定が煩雑であった。また、特許文献１または特許文献３に記載の技術では、位置情報を利用することにより映像データを送信すべき表示装置を特定するが、位置検出の精度に課題があった。また、ユーザが部屋を移動した場合には、映像を継続的に視聴するために、その都度映像データの送信先の特定が必要であった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
受信した映像データを表示可能に構成された表示装置（モニタ４０）に対して、該表示装置を特定するための特定情報を無線発信する状態にするよう指示する特定情報発信指示を無線で送信可能に構成された特定情報発信指示送信部（近距離無線通信部１１０、またはＷｉ−Ｆｉ通信部１２０）と、
前記表示装置が発信する前記特定情報の電波強度に基づいて最も近くの前記表示装置を特定可能に構成された表示装置特定部（制御部１００）と、
映像データを無線で送信可能に構成された映像データ送信装置（サーバ３０）に対して、前記最も近くの表示装置に映像データを送信するよう指示する映像データ送信指示を無線で送信可能に構成された映像データ送信指示送信部（Ｗｉ−Ｆｉ通信部１２０）と、を備える
ことを特徴とする映像データ制御装置（スマートフォン１０）である。
【０００７】
本発明の手段４は、
受信した映像データを表示可能に構成された表示装置に対して、該表示装置を特定するための特定情報を無線発信する状態にするよう指示する特定情報発信指示（モニタＯＮ命令、またはアクセスポイント化命令）を無線で送信する第１ステップ（Ｓ５１０、またはＳ５１１〜Ｓ５１３）と、
前記特定情報発信指示に基づいて、前記特定情報を無線発信する第２ステップ（Ｓ５３０）と、
前記特定情報の電波強度に基づいて最も近くの前記表示装置を特定する第３ステップ（Ｓ５４０〜Ｓ５６０）と、
前記最も近くの表示装置に映像データを送信する第４ステップ（Ｓ５７０、またはＳ５７１）と、を含む
ことを特徴とする映像データ送信方法である。
【０００８】
上記構成の映像データ制御装置（スマートフォン１０）、または映像データ送信方法によれば、自動的かつ容易に映像データを送信する表示装置（モニタ４０）を特定し、ユーザが容易に映像コンテンツの視聴をすることが可能となる。さらに、ユーザが部屋を移動したときにも継続的に映像コンテンツを視聴することが容易になる。
【０００９】
本発明の手段２は、
前記特定情報発信指示送信部（Ｗｉ−Ｆｉ通信部１２０）は、前記映像データ送信装置（サーバ３０）を介して、前記表示装置（モニタ４０）に対して、前記特定情報発信指示を送信可能に構成された
ことを特徴とする手段１の映像データ制御装置（スマートフォン１０）である。
【００１０】
上記構成の映像データ制御装置（スマートフォン１０）によれば、該映像データ制御装置（スマートフォン１０）から表示装置（モニタ４０）に対して間接的に特定情報発信指示を送信することが可能となり、間接的に表示装置（モニタ４０）を制御することができる。
【００１１】
本発明の手段３は、
受信した映像データを表示可能に構成された表示装置（モニタ４０）に対して、該表示装置を特定するための特定情報を無線発信する状態にするよう指示する特定情報発信指示を無線で送信可能に構成された特定情報発信指示送信部（Ｗｉ−Ｆｉ通信部４２０）と、
前記表示装置が発信する前記特定情報の電波強度に基づいて最も近くの前記表示装置を特定可能に構成された表示装置特定装置（スマートフォン１０）から、該最も近くの表示装置を特定する情報を受信可能に構成された表示装置特定情報受信部（Ｗｉ−Ｆｉ通信部４２０）と、
前記最も近くの表示装置に映像データを送信可能に構成された映像データ送信部（Ｗｉ−Ｆｉ通信部４２０）と、を備える
ことを特徴とする映像データ送信装置（サーバ３０）である。
【００１２】
上記構成の映像データ送信装置（サーバ３０）によれば、自動的かつ容易に映像データを送信する表示装置（モニタ４０）を特定し、ユーザが容易に映像コンテンツの視聴をすることが可能となる。さらに、ユーザが部屋を移動したときにも継続的に映像コンテンツを視聴することが容易になる。
【図面の簡単な説明】
【００１３】
【図１】映像送信システムの構成例を示す図。
【図２】スマートフォンの構成例を示す図。
【図３】サーバの構成例を示す図。
【図４】モニタの構成例を示す図。
【図５】実施形態１の映像データ送信処理を示すフローチャート。
【図６】実施形態１の映像データ送信処理を示すフローチャート。
【図７】サーバで管理される情報を示す図。
【図８】実施形態２の映像データ送信処理を示すフローチャート。
【発明を実施するための形態】
【００１４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）映像送信システムの構成例
（２）映像データ送信処理の具体例
２．実施形態２
３．補足事項
４．本発明の特徴
【００１５】
＜１．実施形態１＞
まず、本発明の実施形態１について、図１乃至図７を参照しながら説明する。
【００１６】
＜（１）映像送信システムの構成例＞
図１は、本実施形態の映像送信システムの構成例を示す図である。図１に示すように、本実施形態の映像送信システムは、スマートフォン１０、無線ＬＡＮルータ２０、サーバ３０、及び複数のモニタ４０Ａ〜４０Ｃを含んで構成される。この映像送信システムにおいて、ユーザはスマートフォン１０を操作し、ユーザがいる部屋に配置されたモニタ４０で映像を視聴する。
【００１７】
＜スマートフォン１０＞
スマートフォン１０は、複数のモニタ４０を操作するためのリモコンソフトを実行可能に構成された携帯端末である。本実施形態では、このリモコンソフトを実行中のスマートフォン１０について説明する。
【００１８】
図２は、スマートフォン１０の具体的な構成例を示す図である。図２に示されるように、スマートフォン１０は、制御部１００、近距離無線通信部１１０、Ｗｉ−Ｆｉ通信部１２０、タッチパネル１３０、及びメモリ１４０を含んで構成される。
【００１９】
＜制御部１００＞
制御部１００は、スマートフォン１０における種々の処理を実行可能に構成された制御手段であり、タッチパネル１３０で検出されたユーザの操作、または近距離無線通信部１１０若しくはＷｉ−Ｆｉ通信部１２０で受信した信号などに基づいて、近距離無線通信部１１０、Ｗｉ−Ｆｉ通信部１２０、タッチパネル１３０、及びメモリ１４０を制御可能に構成される。また、制御部１００は、メモリ１４０に記憶されたリモコンソフトを実行可能に構成される。
【００２０】
制御部１００は、タッチパネル１３０で検出されたユーザによる操作に基づいて、モニタＯＮ命令を、近距離無線通信部１１０介してモニタ４０に無線で送信可能に構成される。モニタＯＮ命令には、該モニタＯＮ命令を受信したモニタ４０をオフ状態（またはスリープ状態）からオン状態に切り替えるための指示情報に加え、このモニタ４０をアクセスポイント化するための指示情報を含む。アクセスポイント化したモニタ４０は、このモニタ４０を無線通信のアクセスポイントとして特定するための特定情報としてＳＳＩＤを発信する。
【００２１】
また、制御部１００は、Ｗｉ−Ｆｉ通信部１２０によって検出された特定情報（ＳＳＩＤ）と、それぞれの特定情報の電波強度を受け取り、電波強度が最も強く特定情報に基づいて、スマートフォン１０に最も近いモニタ４０を特定可能に構成される。そして、制御部１００は、最も近くにあるモニタ４０を特定し、このモニタ４０に映像データを送信するよう指示する映像データ送信指示を、Ｗｉ−Ｆｉ通信部１２０を介してサーバ３０に無線で送信可能に構成される。映像データ送信指示には、映像データを送信すべきモニタ４０を特定する情報、及び送信する映像データを指定する情報が含まれる。
【００２２】
＜近距離無線通信部１１０＞
近距離無線通信部１１０は、ＩＲ（赤外線）通信などの無線通信により、モニタ４０を操作するための操作信号を送信可能に構成される。特に本実施形態では、近距離無線通信部１１０は、制御部１００の制御により、モニタＯＮ命令を無線で送信可能に構成される。近距離無線通信部１１０からモニタ４０に対して送信される操作信号には、モニタ４０をオン状態にするよう制御可能なモニタＯＮ命令だけでなく、モニタ４０の音量などを制御するための信号が含まれる。なお、近距離無線通信部１１０での無線通信はＩＲ通信に限定されるものではなく、その他の無線通信であってもよい。
【００２３】
＜Ｗｉ−Ｆｉ通信部１２０＞
Ｗｉ−Ｆｉ通信部１２０は、無線ＬＡＮを利用した無線通信により、無線ＬＡＮルータ２０との間で信号（データを含む）を送受信可能に構成される。また、Ｗｉ−Ｆｉ通信部１２０は、無線ＬＡＮルータ２０を介して、サーバ３０及びモニタ４０との間で、信号（データを含む）を送受信可能に構成される。特に本実施形態では、Ｗｉ−Ｆｉ通信部１２０は、無線ＬＡＮルータ２０を介してサーバ３０に対して、制御部１００の制御により、特定のモニタ４０に対して映像データを送信するよう指示する映像データ送信指示を無線で送信可能に構成される。また、Ｗｉ−Ｆｉ通信部１２０は、モニタ４０が発信する特定情報（ＳＳＩＤ）、及びそれぞれの特定情報の電波強度を検出し、検出した特定情報（ＳＳＩＤ）及び電波強度を制御部１００に出力可能に構成される。
【００２４】
＜タッチパネル１３０＞
タッチパネル１３０は、表示部と一体に形成され、ユーザによる接触による操作を検出可能に構成される。タッチパネル１３０と一体に形成された表示部は、ＬＣＤまたは有機ＥＬディスプレイなどで構成される。タッチパネル１３０は、ユーザによる接触を検出すると、検出されたユーザによる操作を制御部１００に出力可能に構成される。また、タッチパネル１３０と一体形成された表示部は、制御部１００から入力された画像データに応じて、ユーザが視認可能な状態で画像（映像を含む）を表示可能に構成される。
【００２５】
＜メモリ１４０＞
メモリ１４０は、制御部１００の制御により、種々のデータを記憶し、記憶しているデータを制御部１００に出力可能に構成される。メモリ１４０は、例えば、スマートフォン１０で実行されるリモコンソフトなどを記憶する。
【００２６】
＜サーバ３０＞
サーバ３０は、ゲーム及び映画などの映像コンテンツを含むコンテンツの映像データをモニタ４０に無線で送信可能に構成されたＳＴＢ（セット・トップ・ボックス）として機能する映像データ送信装置である。サーバ３０は、無線ＬＡＮルータ２０を介してスマートフォン１０との信号（データを含む）のやり取りを実行し、複数のモニタ４０Ａ〜４０Ｃとの情報のやり取りを実行可能に構成される。特に、本実施形態では、サーバ３０は、スマートフォン１０から無線ＬＡＮルータ２０を介して受信した映像データを送信すべきモニタを特定する情報を含む映像データ送信指示に基づいて、このモニタに映像データを送信可能に構成される。
【００２７】
図３は、サーバ３０の具体的な構成例を示す図である。図３に示されるように、サーバ３０は、制御部３００、Ｗｉ−Ｆｉ通信部３２０、及びメモリ３４０を含んで構成される。
【００２８】
＜制御部３００＞
制御部３００は、サーバ３０における種々の処理を実行可能に構成された制御手段であり、Ｗｉ−Ｆｉ通信部３２０で受信した信号に基づいて、Ｗｉ−Ｆｉ通信部３２０、及びメモリ３４０を制御可能に構成される。制御部３００は、メモリ３４０に記憶されたコンテンツに基づいて映像データを生成し、生成された映像データを所定のモニタ４０に対して送信可能に構成される。ここでのコンテンツには、映像コンテンツやゲームなどのコンテンツが含まれる。メモリ３４０に記憶されたコンテンツが符号化されている場合には、制御部３００はこのコンテンツを復号可能に構成される。また、制御部３００は、ゲームなどのコンテンツ（ソフトウェア）を実行可能に構成される。
【００２９】
制御部３００は、Ｗｉ−Ｆｉ通信部３２０で受信した映像データ送信指示に基づいて、この映像データ送信指示によって指定されたモニタに対して所定の映像データを送信するようＷｉ−Ｆｉ通信部３２０を制御可能に構成される。制御部３００は、モニタ４０に対して映像データを送信する際には、所定の形式に符号化して送信可能に構成される。
【００３０】
＜Ｗｉ−Ｆｉ通信部３２０＞
Ｗｉ−Ｆｉ通信部３２０は、無線ＬＡＮを利用した無線通信により、無線ＬＡＮルータ２０及び複数のモニタ４０Ａ〜４０Ｃとの間で、それぞれ信号（データを含む）を送受信可能に構成される。Ｗｉ−Ｆｉ通信部３２０は、無線ＬＡＮルータ２０を介して、スマートフォン１０との間で信号（データを含む）を送受信可能に構成される。特に本実施形態では、Ｗｉ−Ｆｉ通信部３２０は、スマートフォン１０から、無線ＬＡＮルータ２０を介して、映像データ送信指示を受信可能に構成される。また、Ｗｉ−Ｆｉ通信部３２０は、モニタ４０に対して映像データを送信可能に構成される。
【００３１】
＜メモリ３４０＞
メモリ３４０は、制御部３００の制御により、種々のデータを記憶し、記憶しているデータを制御部３００に出力可能に構成される。メモリ３４０は、例えば映画などの映像コンテンツの映像データ、及びゲームなどのコンテンツのデータを記憶可能に構成される。
【００３２】
＜モニタ４０＞
モニタ４０は、例えば家庭内のリビング、ベッドルーム、及びキッチンなどに配置されたテレビを含む表示装置である。モニタ４０は、サーバ３０から受信した映像データを表示可能に構成される。
【００３３】
図４は、モニタ４０の具体的な構成例を示す図である。図４に示されるように、モニタ４０は、制御部４００、近距離無線通信部４１０、Ｗｉ−Ｆｉ通信部４２０、表示部４３０、及びメモリ４４０を含んで構成される。
【００３４】
＜制御部４００＞
制御部４００は、モニタ４０における種々の処理を実行可能に構成された制御手段であり、近距離無線通信部４１０またはＷｉ−Ｆｉ通信部４２０で受信された信号に基づいて、近距離無線通信部４１０、Ｗｉ−Ｆｉ通信部４２０、表示部４３０、及びメモリ４４０を制御可能に構成される。
【００３５】
制御部４００は、近距離無線通信部４１０で受信された、スマートフォン１０からのモニタＯＮ命令に基づいて、モニタ４０の状態をオフ状態またはスリープ状態からオン状態へと切り替え可能に構成される。本実施形態では、オフ状態またはスリープ状態のモニタ４０においては、近距離無線通信部４１０及び制御部４００にのみ電圧が供給され、それ以外の部分には電圧が供給されない状態となっている。すなわち、オフ状態またはスリープ状態では、モニタ４０は、モニタＯＮ命令によりオン状態へと切り替え可能であり、それ以外の操作ができない状態になっている。
【００３６】
制御部４００は、上記のモニタＯＮ命令の入力に応じて、モニタ４０をアクセスポイント化する処理を実行可能に構成される。具体的には、制御部４００は、モニタＯＮ命令の受信に応じて、一時的に（例えば６０秒間）、モニタ４０をアクセスポイントとして特定可能な特定情報としてのＳＳＩＤをＷｉ−Ｆｉ通信部４２０から発信するよう制御可能に構成される。
【００３７】
また、制御部４００は、Ｗｉ−Ｆｉ通信部４２０で受信された映像データに基づく映像を表示部４３０に表示するよう制御可能に構成される。このとき、制御部４００は、Ｗｉ−Ｆｉ通信部４２０で受信された映像データが符号化されている場合には、この符号化された映像データを復号可能に構成される。
【００３８】
＜近距離無線通信部４１０＞
近距離無線通信部４１０は、ＩＲ（赤外線）通信などの無線通信により、スマートフォン１０から送信される操作信号を受信可能に構成される。特に本実施形態では、近距離無線通信部４１０は、スマートフォン１０から送信されるモニタＯＮ命令を無線で受信可能に構成される。なお、近距離無線通信部４１０での無線通信はＩＲ通信に限定されるものではなく、スマートフォン１０との無線通信を実行可能なその他の無線通信であってもよい。
【００３９】
＜Ｗｉ−Ｆｉ通信部４２０＞
Ｗｉ−Ｆｉ通信部４２０は、無線ＬＡＮを利用した無線通信により、サーバ３０と信号（データを含む）を送受信可能に構成される。特に本実施形態では、Ｗｉ−Ｆｉ通信部４２０は、サーバ３０から映像データを受信し、受信した映像データを制御部４００に出力可能に構成される。また、Ｗｉ−Ｆｉ通信部４２０は、モニタ４０がアクセスポイント化された状態では特定情報（ＳＳＩＤ）を周囲に発信可能に構成される。
【００４０】
＜表示部４３０＞
表示部４３０は、ＬＣＤまたは有機ＥＬディスプレイなどで構成され、制御部４００の制御により画像（映像を含む）を表示可能に構成される。
【００４１】
＜メモリ４４０＞
メモリ４４０は、制御部４００の制御により、種々のデータを記憶し、記憶しているデータを制御部４００に出力可能に構成される。メモリ４４０は、例えば、Ｗｉ−Ｆｉ通信部４２０で受信された映像データを記憶可能に構成される。
【００４２】
＜（２）映像データ送信処理の具体例＞
次に、上記構成の映像送信システムで実行される映像データ送信処理の具体例について説明する。図５は、映像データ送信処理を示すフローチャートである。
【００４３】
＜Ｓ５００〜Ｓ５１０＞
ベッドルームにいるユーザが、ベッドルームに配置されたテレビ（モニタ４０Ａ）で映画コンテンツを視聴しようとして、スマートフォン１０を操作したとする。このとき、ユーザはスマートフォン１０でリモコンソフトを実行して、リモコンソフトをタッチパネル１３０で操作して、モニタ４０Ａをオン状態にする操作を行う。タッチパネル１３０は、検出されたユーザによる操作内容に関する情報を制御部１００に出力する。制御部１００は、このユーザによる操作に応答して、近距離無線通信部１１０からモニタ４０Ａに対してモニタＯＮ命令を送信する（Ｓ５００〜Ｓ５１０）。
【００４４】
＜Ｓ５２０〜Ｓ５３０＞
次に、モニタ４０Ａの近距離無線通信部４１０は、上記の処理でスマートフォン１０から送信されたモニタＯＮ命令を受信すると、受信したモニタＯＮ命令を制御部４００に出力する。制御部４００は、入力されたモニタＯＮ命令に応じて、モニタ４０Ａをオン状態に切り替え（Ｓ５２０）、かつ、モニタ４０をアクセスポイント化する（Ｓ５３０）。これにより、制御部４００は、一時的に（例えば６０秒間）、Ｗｉ−Ｆｉ通信部４２０から特定情報としてＳＳＩＤを発信するよう制御する。
【００４５】
＜Ｓ５４０〜Ｓ５５０＞
次に、スマートフォン１０のＷｉ−Ｆｉ通信部４２０は周囲のアクセスポイントが発信する特定情報（ＳＳＩＤ）、及びそれぞれの特定情報の電波強度を検出し、検出した特定情報（ＳＳＩＤ）及び電波強度を制御部１００に出力する。制御部１００は、これらの情報に基づいて、最も電波強度が強い特定情報（ＳＳＩＤ）を発信するモニタ４０Ａを、最も近くに配置された、ユーザが映像データを視聴しようとするモニタであると判定する。この処理により、制御部１００は、映像データを送信すべきモニタ４０Ａを特定する（Ｓ５４０）。そして、制御部１００は、ここで特定したモニタ４０Ａに映像データを送信するよう指示する映像データ送信指示を送信するよう、Ｗｉ−Ｆｉ通信部１２０を制御する（Ｓ５５０）。Ｗｉ−Ｆｉ通信部１２０から送信された映像データ送信指示は、無線ＬＡＮルータ２０を介してサーバ３０に送信される。
【００４６】
＜Ｓ５６０〜Ｓ５７０＞
次に、無線ＬＡＮルータ２０を介して映像データ送信指示を受信したサーバ３０のＷｉ−Ｆｉ通信部３２０は、受信した映像データ送信指示を制御部３００に出力する（Ｓ５６０）。制御部３００は、受け取った映像データ送信指示に基づいて、映像データを送信すべきモニタとしてモニタ４０Ａを特定する。そして、制御部３００は、メモリ３４０から送信すべき映像コンテンツに基づいて映像データを生成し、この映像データをモニタ４０Ａに対して送信するようＷｉ−Ｆｉ通信部３２０を制御する（Ｓ５７０）。ここで送信される映像データのコンテンツは任意に選択可能であるが、例えば、ユーザがモニタ４０Ａで視聴するコンテンツを選択可能なメニューに関するソフトウェアの実行映像であってもよい。
【００４７】
＜Ｓ５８０〜Ｓ６００＞
次に、映像データを受信したモニタ４０ＡのＷｉ−Ｆｉ通信部４２０は、受信した映像データを制御部４００に出力する（Ｓ５８０）。制御部４００は、この映像データをメモリ４４０に記憶させつつ、映像データに基づく映像（画像を含む）を表示部４３０に表示するよう制御する（Ｓ５９０）。そして、モニタ４０Ａでは、ユーザによるリモコンソフトの操作に基づく操作信号を近距離無線通信部４１０が受信し、制御部１００は、受信した操作信号に基づいて音量の変更などの処理を実行する。また、サーバ３０では、ユーザによるリモコンソフトの操作に基づく操作信号を、無線ＬＡＮルータ２０を介した無線通信によりＷｉ−Ｆｉ通信部３２０が受信し、制御部３００は、受信した操作信号に基づいて送信する映像データのコンテンツの変更などの処理を実行する。なお、これらのモニタ４０Ａの制御、及び送信する映像データの制御は、近距離無線通信部１１０及び４１０、並びにＷｉ−Ｆｉ通信部１２０、３２０、及び４２０のどちらを介して行われてもよい。
【００４８】
以上の処理によって、ユーザは、ベッドルームに配置されたテレビ（モニタ４０Ａ）で映像コンテンツを視聴することができる。
【００４９】
次に、ユーザがベッドルームからリビングに移動して、継続的に映像コンテンツを視聴しようとする場合の処理について説明する。図６は、このときの映像データ送信処理を示すフローチャートである。この処理では、図５に示す映像データ送信処理と同様であるが、映像データの送信先がリビングのテレビ（モニタ４０Ｂ）になる点、及びＳ５６１〜Ｓ５７１の処理が追加されている点で相違する。以下の説明では、この相違点についてのみ説明し、図５の処理と同様のものについてはその説明を省略する。
【００５０】
＜Ｓ５６０〜Ｓ５７１＞
無線ＬＡＮルータ２０を介して映像データ送信指示を受信したサーバ３０のＷｉ−Ｆｉ通信部３２０は、受信した映像データ送信指示を制御部３００に出力する（Ｓ５６０）。制御部３００は、受け取った映像データ送信指示に基づいて、映像データを送信すべきモニタとしてリビングのテレビ（モニタ４０Ｂ）を特定する。制御部３００は、映像データを送信すべきモニタが変更されたことに基づいて、これまで映像データを送信していたベッドルームのテレビ（モニタ４０Ａ）に対する映像データの送信を停止するようＷｉ−Ｆｉ通信部３２０を制御する（Ｓ５６１）。さらに、制御部３００は、これまでベッドルームのテレビ（モニタ４０Ａ）に送信していた映像データを、モニタ４０Ｂに対して送信するようＷｉ−Ｆｉ通信部３２０を制御する（Ｓ５７１）。このとき、制御部３００は、映像データ送信指示を送信したスマートフォン１０が、映像データ送信指示を送信したタイミングに別のモニタ（ベッドルームのテレビ（モニタ４０Ａ））で視聴している映像及び再生時間に基づいて、続きの映像データを次のモニタ（リビングのテレビ（モニタ４０Ｂ））に対して送信する。
【００５１】
図７は、上記処理において続きの映像データを送信するときに参照される、サーバ３０で管理されている情報を示す図である。図７に示されるように、サーバ３０では、各管理番号に関連付ける形式で、配信映像、再生時間、配信先モニタ、及び利用ユーザに関する情報を管理している。配信先モニタは特定情報（ＳＳＩＤ）として記憶され、利用ユーザは各携帯端末（スマートフォン）の固有アドレス（例えばＭＡＣアドレス）として記憶される。ＭＡＣアドレスは、サーバ３０がスマートフォン１０から映像データ送信指示を受信したときに同時に受信して記憶する。これらの情報に基づいて、サーバ３０は各スマートフォンを携帯するユーザが視聴しているモニタ、及びこのモニタに表示される映像の内容と再生時間とを管理可能となる。
【００５２】
以上の処理によって、ユーザは、視聴するモニタをベッドルームに配置されたテレビ（モニタ４０Ａ）から、リビングに配置されたテレビ（モニタ４０Ｂ）に変更し、映像コンテンツを継続的に視聴することができる。
【００５３】
＜２．実施形態２＞
次に、本発明の実施形態２について、図８を参照しながら説明する。本実施形態では、実施形態１と比較して、モニタをアクセスポイント化する処理の流れが異なる。具体的には、モニタ４０をアクセスポイント化する起因になるものが、スマートフォン１０からモニタ４０に対して近距離無線通信で送信されるモニタＯＮ命令から、サーバ３０からモニタ４０に対してＷｉ−Ｆｉ通信で送信されるアクセスポイント化命令である点で異なる。以下の実施形態の説明では、この相違点についての説明を行い、実施形態１と同様の内容についてはその説明を省略する。
【００５４】
図８は、映像データ送信処理を示すフローチャートである。
【００５５】
＜Ｓ５００〜５１１＞
ベッドルームにいるユーザが、ベッドルームに配置されたテレビ（モニタ４０Ａ）で映画コンテンツを視聴しようとして、スマートフォン１０を操作したとする。このとき、ユーザはスマートフォン１０でリモコンソフトを実行して、リモコンソフトをタッチパネル１３０で操作して、モニタ４０Ａをオン状態にする操作を行う。タッチパネル１３０は、検出されたユーザによる操作内容に関する情報を制御部１００に出力する。制御部１００は、このユーザによる操作に応答して、Ｗｉ−Ｆｉ通信部１２０からサーバ３０に対して、映像データ送信命令を送信する（Ｓ５００〜Ｓ５１１）。
【００５６】
＜Ｓ５１２〜５１３＞
次に、サーバ３０のＷｉ−Ｆｉ通信部３２０は、上記の処理でスマートフォン１０から無線ＬＡＮルータ２０を介して送信された映像データ送信命令を受信すると、受信した映像データ送信命令を制御部３００に出力する（Ｓ５１２）。制御部３００は、入力された映像データ送信命令に応じて、サーバ３０に接続されたすべてのモニタ４０Ａ〜４０Ｃに対してアクセスポイント化命令を送信するようＷｉ−Ｆｉ通信部３２０を制御する（Ｓ５１３）。
【００５７】
＜Ｓ５２１〜Ｓ５３０＞
次に、モニタ４０Ａ〜４０ＣのそれぞれのＷｉ−Ｆｉ通信部４２０は、上記の処理でサーバ３０から送信されたアクセスポイント化命令を受信すると、受信したアクセスポイント化命令を制御部４００に出力する。制御部４００は、入力されたアクセスポイント化命令に応じて、モニタ４０をオン状態に切り替え（Ｓ５２０）、かつ、モニタ４０をアクセスポイント化する（Ｓ５３０）。これにより、制御部４００は、一時的に（例えば６０秒間）、Ｗｉ−Ｆｉ通信部４２０から特定情報としてＳＳＩＤを発信するよう制御する。このとき、モニタ４０Ａ〜４０Ｃの表示部４３０には映像を表示させる必要はない。
【００５８】
ここでは、サーバ３０に接続されたすべてのモニタであるモニタ４０Ａ〜４０Ｃがいずれもアクセスポイント化されている。本実施形態の映像送信システムでは、すべてのモニタを一旦アクセスポイント化して、スマートフォン１０に最も近いモニタを特定することで、サーバ３０から映像データを送信する処理を行っている。
【００５９】
＜Ｓ５８１＞
サーバ３０から映像データを受信したモニタ４０ＡのＷｉ−Ｆｉ通信部４２０は、受信した映像データを制御部４００に出力する（Ｓ５８１）。このとき、映像データを受信した制御部４００は、モニタ４０Ａをオン状態に切り替える。
【００６０】
以上の処理を含む図８に示す映像データ送信処理によって、ユーザは、ベッドルームに配置されたテレビ（モニタ４０Ａ）で映像コンテンツを視聴することができる。
【００６１】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６２】
上記実施形態における映像送信システムでは、スマートフォン１０とサーバ３０との間に無線ＬＡＮルータ２０が配置されていたが、この無線ＬＡＮルータ２０は必須の構成ではない。すなわち、スマートフォン１０とサーバ３０とが直接接続されていてもよい。
【００６３】
また、無線ＬＡＮルータ２０とサーバ３０とは、無線ではなく有線で接続されていてもよい。このとき、サーバ３０は、スマートフォン１０から送信された信号を、無線ＬＡＮルータ２０から有線で受信することとなる。
【００６４】
また、サーバ３０とモニタ４０Ａ〜４０Ｃとは、無線ではなく有線で接続されていてもよい。このとき、サーバ３０とモニタ４０Ａ〜４０Ｃとは、有線で信号の送受信が行われる。
【００６５】
また、スマートフォン１０は、同様の機能を備えるタブレット機器、専用リモコン装置などの無線通信装置と置き換えてもよい。
【００６６】
また、映像送信システムを構成する各装置は、それぞれが複数の構成に分けられてもよい。例えばサーバ３０は、Ｗｉ−Ｆｉ通信部３２０を含む無線機能を備える装置と、コンテンツを記憶するメモリ３４０を備える装置との複数の装置によって構成されてもよい。
【００６７】
＜４．本発明の特徴＞
以上、説明したような構成の映像送信システムに含まれる特徴的な装置及び方法は、以下のようなものである。
【００６８】
本発明の映像データ制御装置（スマートフォン１０）は、受信した映像データを表示可能に構成された表示装置（モニタ４０）に対して、該表示装置を特定するための特定情報（ＳＳＩＤ）を無線発信する状態にするよう指示する特定情報発信指示を無線で送信可能に構成された特定情報発信指示送信部（近距離無線通信部１１０、またはＷｉ−Ｆｉ通信部１２０）と、表示装置（モニタ４０）が発信する特定情報の電波強度に基づいて最も近くの表示装置（モニタ４０）を特定可能に構成された表示装置特定部（制御部１００）と、映像データを無線で送信可能に構成された映像データ送信装置（サーバ３０）に対して、最も近くの表示装置に映像データを送信するよう指示する映像データ送信指示を無線で送信可能に構成された映像データ送信指示送信部（Ｗｉ−Ｆｉ通信部１２０）と、を備えることを特徴とする。
【００６９】
また、本発明の映像データ送信方法は、受信した映像データを表示可能に構成された表示装置（モニタ４０）に対して、該表示装置を特定するための特定情報（ＳＳＩＤ）を無線発信する状態にするよう指示する特定情報発信指示（モニタＯＮ命令、またはアクセスポイント化命令）を無線で送信する第１ステップ（Ｓ５１０、またはＳ５１１〜Ｓ５１３）と、特定情報発信指示に基づいて、特定情報を無線発信する第２ステップ（Ｓ５３０）と、特定情報の電波強度に基づいて最も近くの前記表示装置を特定する第３ステップ（Ｓ５４０〜Ｓ５６０）と、最も近くの表示装置に映像データを送信する第４ステップ（Ｓ５７０、またはＳ５７１）と、を含むことを特徴とする。
【００７０】
上記構成の映像データ制御装置（スマートフォン１０）、または映像データ送信方法によれば、自動的かつ容易に映像データを送信する表示装置（モニタ４０）を特定し、ユーザが容易に映像コンテンツの視聴をすることが可能となる。さらに、ユーザが部屋を移動したときにも継続的に映像コンテンツを視聴することが容易になる。
【００７１】
また、本発明の映像データ制御装置（スマートフォン１０）は、特定情報発信指示送信部（Ｗｉ−Ｆｉ通信部１２０）は、映像データ送信装置（サーバ３０）を介して、表示装置（モニタ４０）に対して、特定情報発信指示（アクセスポイント化命令）を送信可能に構成されたことを特徴とする。
【００７２】
上記構成の映像データ制御装置（スマートフォン１０）によれば、該映像データ制御装置（スマートフォン１０）から表示装置（モニタ４０）に対して間接的に特定情報発信指示を送信することが可能となり、間接的に表示装置（モニタ４０）を制御することができる。
【００７３】
一方で、本発明の映像データ送信装置（サーバ３０）は、受信した映像データを表示可能に構成された表示装置（モニタ４０）に対して、該表示装置を特定するための特定情報（ＳＳＩＤ）を無線発信する状態にするよう指示する特定情報発信指示を無線で送信可能に構成された特定情報発信指示送信部（Ｗｉ−Ｆｉ通信部４２０）と、表示装置（モニタ４０）が発信する特定情報の電波強度に基づいて最も近くの表示装置を特定可能に構成された表示装置特定装置（スマートフォン１０）から、該最も近くの表示装置を特定する情報を受信可能に構成された表示装置特定情報受信部（Ｗｉ−Ｆｉ通信部４２０）と、最も近くの表示装置に映像データを送信可能に構成された映像データ送信部（Ｗｉ−Ｆｉ通信部４２０）と、を備えることを特徴とする。
【００７４】
上記構成の映像データ送信装置（サーバ３０）によれば、自動的かつ容易に映像データを送信する表示装置（モニタ４０）を特定し、ユーザが容易に映像コンテンツの視聴をすることが可能となる。さらに、ユーザが部屋を移動したときにも継続的に映像コンテンツを視聴することが容易になる。
【産業上の利用可能性】
【００７５】
本発明は、複数のモニタに接続されたＳＴＢに記憶された映像コンテンツをスマートフォンなどで操作可能な映像送信システムなどとして好適に適用される。
【符号の説明】
【００７６】
１０…スマートフォン
２０…ルータ
３０…サーバ
４０、４０Ａ〜４０Ｃ…モニタ
１００…制御部
１１０…近距離無線通信部
１２０…通信部
１３０…タッチパネル
１４０…メモリ
３００…制御部
３２０…通信部
３４０…メモリ
４００…制御部
４１０…近距離無線通信部
４２０…通信部
４３０…表示部
４４０…メモリ
【図１】
2016025599.tif 000003
【図２】
2016025599.tif 000004
【図３】
2016025599.tif 000005
【図４】
2016025599.tif 000006
【図５】
2016025599.tif 000007
【図６】
2016025599.tif 000008
【図７】
2016025599.tif 000009
【図８】
2016025599.tif 000010